(57)【要約】      （修正有）【課題】着用者の首を支えるとともに着用者の腕も一緒に支えることでもっと楽に休息を取るようにする携帯用ネックピローを提供する。【解決手段】内側に着用者の首を収容するＵ字形のネックピロー本体部１１と、ネックピロー本体部の向かい合う両端部から延設され、着用者の腕を収容して支持するように形成される一対の肘掛け部１２とを含む。これにより、着用者の首を支えるとともに着用者の腕も一緒に支えることで、もっと楽に休息を取るようにする。【選択図】図２
0003190413.tif 000002
【実用新案登録請求の範囲】
【請求項１】
携帯用ネックピローにおいて、
内側に着用者の首を収容するＵ字形のネックピロー本体部と；
前記ネックピロー本体部の向かい合う両端部から延設され、前記着用者の腕を収容して支持するように形成される一対の肘掛け部とを含むことを特徴とする、携帯用ネックピロー。
【請求項２】
前記一対の肘掛け部はそれぞれ環状の肘掛け帯からなり、前記着用者の腕が挿入及び支持されるように形成され、前記環状の肘掛け帯の少なくとも一つには携帯電話ポケットが備えられることを特徴とする、請求項１に記載の携帯用ネックピロー。
【請求項３】
前記一対の肘掛け部は、それぞれ長さの調節が可能となるように備えられることを特徴とする、請求項１または２に記載の携帯用ネックピロー。
【請求項４】
前記ネックピロー本体部の向かい合う両端部は、相互間の締結及び締結解除が可能となるようにする着脱手段を備えることを特徴とする、請求項１に記載の携帯用ネックピロー。
【請求項５】
前記ネックピロー本体部の向かい合う両端部にはそれぞれ対応肘掛け部を折り畳んで収容するためのポケットが備えられることを特徴とする、請求項１に記載の携帯用ネックピロー。
【考案の詳細な説明】
【技術分野】
【０００１】
本考案は自動車、航空機などの交通を用いる場合に主に使うことになる携帯用ネックピローに関するものである。
【背景技術】
【０００２】
従来の携帯用ネックピロー１は、図１に示したように、Ｕ字形に形成され、内側に着用者の首が収容される構造のもので、クッション材からなり、着用者の首根っことともに首の左側及び右側を支えるように構成されている。
【０００３】
このような携帯用ネックピロー１は、着用者の首を楽に支えることで、前記着用者が座席に座った状態でも楽に休息を取るようにする。
【０００４】
しかし、前記のような従来の携帯用ネックピロー１を着用する場合、着用者の腕を支えることができる別途の手段が備えられていないから、前記着用者がもっと楽に休息を取ることができないという点が物足りない点として残っていた。
【０００５】
すなわち、ネックピロー１を着用した着用者の腕を特に支える手段がない関係で、そのまま下った状態となり、これにより腕の筋肉の緊張状態がまったく弛緩できず、着用者のもっと楽な休息に対して障害となっていた。
【考案の概要】
【考案が解決しようとする課題】
【０００６】
したがって、本考案の目的は着用者の首を支えるとともに前記着用者の腕も一緒に支えることでもっと楽に休息を取るようにする携帯用ネックピローを提供することにある。
【課題を解決するための手段】
【０００７】
前記目的を達成するために、本考案は、携帯用ネックピローであって、内側に着用者の首を収容するＵ字形のネックピロー本体部と；前記ネックピロー本体部の向かい合う両端部から延設され、前記着用者の腕を収容して支持するように形成される一対の肘掛け部とを含むことを特徴とする、携帯用ネックピローを提供する。
【０００８】
ここで、前記一対の肘掛け部は、それぞれ環状の肘掛け帯からなり、前記着用者の腕が挿入及び支持されるように形成され、前記環状の肘掛け帯の少なくとも一つには携帯電話ポケットが備えられることもできる。
【０００９】
この際、前記一対の肘掛け部は、それぞれ長さの調節が可能となるように備えられることもできる。
【００１０】
そして、前記ネックピロー本体部の向かい合う両端部は、相互間の締結及び締結解除が可能となるようにする着脱手段を備えることもできる。
【００１１】
一方、前記ネックピロー本体部の向かい合う両端部には、それぞれ対応肘掛け部を折り畳んで収容するためのポケットが備えられることもできる。
【考案の効果】
【００１２】
以上のような本考案による携帯用ネックピローによれば、Ｕ字形のネックピロー本体部に着用者の首を収容して支えるのはもちろんのこと、前記ネックピローの向かい合う両端部から延設される一対の肘掛け部に挿入された前記着用者の腕を支えて、着用者の首と宛を同時に支えることにより、前記着用者がもっと楽な休息を取ることができるようにする。
【図面の簡単な説明】
【００１３】
【図１】従来技術による携帯用ネックピローの斜視図である。
【図２】本考案の第１実施例による携帯用ネックピローの斜視図である。
【図３】図２の携帯用ネックピローの使用状態を示す斜視図である。
【図４】本考案の第２実施例による携帯用ネックピローの斜視図である。
【考案を実施するための形態】
【００１４】
本考案の第１実施例による携帯用ネックピロー１０は、図２に示したように、内側に着用者の首を収容するＵ字形のネックピロー本体部１１と、このネックピロー本体部１１の向かい合う両端部から延設される一対の肘掛け部１２と、を含んでなる。
【００１５】
この実施例において、これら肘掛け部１２はそれぞれ環状の肘掛け帯からなり、着用者の腕を収容して支持するように形成される構造である。
【００１６】
このような携帯用ネックピロー１０によれば、図３に示したように、前記ネックピロー本体部１１には着用者の首が挿入、収容及び支持され、前記一対の肘掛け部１２にはそれぞれ着用者の腕が挿入及び支持される。
【００１７】
したがって、着用者の首が楽に支持されるのはもちろんのこと、両宛も前記一対の肘掛け部１２によって楽に支持されるので、着用者はもっと楽に休息を取ることができるようになる。
【００１８】
この際、一側の肘掛け部を成す肘掛け帯１２の表面には携帯電話ポケット１３が備えられることで、使用上の便宜性を向上させることができ、Ｕ字形のネックピロー本体部１１の向かい合う両端部には、図２に示したように、相互間の締結及び締結解除が可能となるように着脱手段、この実施例においてはフック１４が内側に備えられる。
【００１９】
前記フック１４のような着脱手段を用いることにより、携帯用ネックピロー１０が使用中に脱げる現象を防止するのはもちろんのこと、着用者が安定的な休息姿勢を取ることができるようにする。また、着席者には毛布のような保温効果を提供することもできる。
【００２０】
前述したフック１４はネックピロー本体部１１の両端部を互いに締結する又は締結解除するための着脱手段の一実施例に過ぎないもので、これは雌雄型スナップ部材、ベルクロファスナーなどの他の着脱手段に取り替えられることができる。
【００２１】
本考案の第２実施例による携帯用ネックピロー２０は、図４に示したように、一対の肘掛け部２２のそれぞれの中間部位が切断されて、それぞれ長帯と短帯からなり、短帯には一定間隔でボタン２３が付着され、長帯の末端部にはボタン穴２４が形成されることで、前記ボタン２３とボタン穴２４間の結合によって長さの調節が可能となるように構成される。
【００２２】
これにより、一対の肘掛け部２２は、男性、女性、子供などの着用者の身体条件に応じて長さを調節して使うことができる。
【００２３】
また、ネックピロー本体部２１の向かい合う両端部にはそれぞれポケット２５が備えられ、それぞれ対応の肘掛け部２２を折り畳んで収容して保管することができるように構成されることもできる。
【００２４】
一方、以上説明した携帯用ネックピロー１０、２０は本考案の理解に役立てるための一実施例に過ぎないものなので、本考案の権利範囲ないし技術的範囲が前記説明のものに限定されるものに理解されてはいけない。
【００２５】
本考案の権利範囲ないし技術的範囲は後述する実用新案登録請求の範囲及びそれと均等な範囲によって決められる。
【符号の説明】
【００２６】
１  ネックピロー
１０  携帯用ネックピロー
１１  ネックピロー本体部
１２  一対の肘掛け部
１３  携帯電話ポケット
１４  フック
２０  携帯用ネックピロー
２１  ネックピロー本体部
２２  肘掛け部
２３  ボタン
２４  ボタン穴
２５  ポケット
【図１】
0003190413.tif 000003
【図２】
0003190413.tif 000004
【図３】
0003190413.tif 000005
【図４】
0003190413.tif 000006